(57)【特許請求の範囲】
【請求項１】
耕耘爪軸１５の同一円周面に複数の爪座３６を形成し、該複数の爪座３６に先端がＹ字型に開いたＹ字型爪１６を植設し、高速耕耘を可能としたトラクター装着用ロータリー耕耘装置において、耕耘幅の最外側の、境界線上に左右１本ずつのチゼル１を配置し、高速耕耘時におけるロータリー耕耘装置の浮き上がりを阻止し、耕耘幅の両端部の切断を直線的とし、前記チゼル１の前部にコールター４を取り付けて、該コールター４により、チゼル１の通過部分の土壌に切れ目を入れて土塊抵抗を小さくし、藁を切断すべく構成し、左右のチゼル１の間に、前部ガイド輪２を配置したことを特徴とするロータリー耕耘装置。
【発明の詳細な説明】
【０００１】
【産業上の利用分野】
本発明は、トラクターに装着したロータリー耕耘装置において、高速耕耘を可能とするものである。
【０００２】
【従来の技術】
従来から、ロータリー耕耘装置において、チゼルを配置した技術は公知とされているのである。例えば、実開昭５７−１８７００４号公報に記載の技術の如くである。
また、耕耘幅の端部に近い部分にコールターを装着する技術としては、実公昭５６−４１４４９号公報の如き技術が公知とされているのである。
【０００３】
【発明が解決しようとする課題】
トラクターにロータリー耕耘装置を装着して耕耘する場合において、作業速度を速くしようとすると、次のような不具合が発生するのである。
まず、ロータリー耕耘装置が上下動して耕深が安定しない。またロータリー耕耘装置が浮き上がり気味となり、耕深が浅くなる。また、尾輪が土塊の上に乗り上げてしまい耕深が安定しない。また、耕耘ピッチが荒くなり、耕耘爪の先端が描くトロコイド曲線が立ってきて、残耕が残り易くなる。また、所要馬力が増加する。
また、旋回時にロータリー耕耘装置が振られて、危険な状態が発生しやすく、隣接耕耘が遣りにくくなる。またロータリー耕耘装置の左右傾斜の自動制御装置の追従性が悪くなる。また、耕耘跡の両端が汚くなる。また、真っ直ぐ切れていない。また、ロータリー耕耘装置の回転に押されて、トラクターがダッシュし易くなる。また土塊の反転が悪くなる等の不具合が発生していたのである。
【０００４】
本発明は、以上のような高速耕耘の場合の不具合点を改善するものであり、チゼルを設け、藁や土塊を切るコールターを設け、リアカバーをロックできる機構を設けたものである。また、耕耘ピッチが荒くなるので、Ｙ字型爪を採用することにより、トロコイド曲線が立たないようにしたものである。また隣接耕の仕上状態が綺麗になるように、リアカバーのサイドカバーを大きく構成したものである。
【０００５】
【課題を解決するための手段】
本発明の解決しようとする課題は以上の如くであり、次に該課題を解決する手段を説明する。
【０００６】
耕耘爪軸１５の同一円周面に複数の爪座３６を形成し、該複数の爪座３６に先端がＹ字型に開いたＹ字型爪１６を植設し、高速耕耘を可能としたトラクター装着用ロータリー耕耘装置において、耕耘幅の最外側の、境界線上に左右１本ずつのチゼル１を配置し、高速耕耘時におけるロータリー耕耘装置の浮き上がりを阻止し、耕耘幅の両端部の切断を直線的とし、前記チゼル１の前部にコールター４を取り付けて、該コールター４により、チゼル１の通過部分の土壌に切れ目を入れて土塊抵抗を小さくし、藁を切断すべく構成し、左右のチゼル１の間に、前部ガイド輪２を配置したことを特徴とするロータリー耕耘装置である。
【０００７】
【作用】
トラクターに装着するロータリー耕耘装置において、耕耘幅の最外側の、境界線上に左右１本ずつのチゼルを配置し、高速耕耘時におけるロータリー耕耘装置の浮き上がりを阻止し、耕耘幅の両端部の切断を直線的としたので、高速耕耘時に発生するロータリー耕耘装置の浮き上がりを阻止することができ、更に耕耘後の境界部分の両端を真直ぐに切断することが出来た。
【０００８】
そして、チゼルの前部にコールターを取り付けて、該コールターにより、チゼル１の通過部分の土壌に切れ目を入れて土塊抵抗を小さくし、更に藁を切断すべく構成したので、チゼルの前の部分の土壌に切り込みを入れて、チゼルの切断抵抗を小さくし、該部分に存在する藁等を切断することにより、チゼルに藁が引っ掛かるのを阻止することが出来た。
更に、左右のチゼル１の間に、前部ガイド輪２を配置し、高速耕耘の際にロータリー耕耘装置が上下に振動するのを阻止している。
【０００９】
【実施例】
次に実施例を説明する。
図１はチゼルとコールターを取り付けた本発明のロータリー耕耘装置の全体側面図、図２は同じく本発明のロータリー耕耘装置の全体平面図、図３はリアカバーを高速耕耘時に回動不可能にロックする機構を設けたロータリー耕耘装置の側面図、図４はリアカバーのロック機構の斜視図、図５はリアカバーロック機構の要部を示す後面図、図６は同じくリアカバーロック機構の要部の側面図、図７はチゼルとコールターの部分の拡大側面図、図８は６角形の爪軸と２本の爪によりＹ字型を構成した場合の耕耘爪軸１５の側面図、図９は同じく図８の構成の爪を後面から見た図面、図１０は１本のＹ字型爪１６を配置した耕耘爪軸１５の側面図、図１１は２本の爪によりＹ字型爪とした構成を示す後面図、図１０はＹ字型爪の斜視図、図１２はＹ字型爪の後面図である。
【００１０】
図１・図２・図３において、本発明のロータリー耕耘装置の全体的な構成について説明する。
クイックヒッチフレーム３０を介して、トラクターとロータリー耕耘装置の間を簡単に装着可能としている。該クイックヒッチフレーム３０の上部に係合フック２８を設け、下部にもロワリンク係合フックが配置されている。該ロワリンク係合フックを、トラクターに乗車した状態で係脱自在とするフック操作レバー１３がクイックヒッチフレーム３０の上部に突設されている。該フック操作レバー１３を操作することにより、リンク２２を介して、ロワリンク係合フックが操作される。
【００１１】
該係合フック２８は、トップリンクマスト２９に配置された、係合ピン２１と上部で係合すべく構成している。該クイックヒッチフレーム３０によりトラクターとロータリー耕耘装置を装着することにより、トラクター側のＰＴＯ軸と、ロータリー耕耘装置側のベベルギアボックスＢの入力軸が、ユニバーサルジョイント軸を介して自動的に連結可能としている。該ベベルギアボックスＢより左右にメインビーム１７・１７が突出されている。左側のメインビーム１７の端部に耕耘伝動ケース７が固設され、該耕耘伝動ケース７から耕耘爪軸１５を駆動すべく構成している。
【００１２】
耕耘爪軸にＹ字型爪１６が固設されており、該Ｙ字型爪１６の回転軌跡外周Ａにそって、耕耘カバー２５が沿設されている。該耕耘カバー２５の左右にサイドカバー２４・２４が固設されている。該サイドカバー２４の後部にはリアサイドカバー１０が取付られており、前記耕耘カバー２５の後部には、リアカバー３が回動自在に枢支されている。
本実施例においては、該リアサイドカバー１０は従来のリアサイドカバー１０ 'よりも広く構成し、下方から土壌が漏れることの無いように、耕耘伝動ケース７の下端の位置まで延長している。当然のことながらリアカバー３の回動範囲の側方の全てに、リアサイドカバー１０が位置する程度に広幅に構成している。
【００１３】
本発明においては、該構成のサイドカバー２４の前部の左右の位置に、チゼル１とコールター４を脱着可能に構成している。つまり、耕耘幅の最外側の、境界線上に左右１本づつのチゼルを配置し、高速耕耘時におけるロータリー耕耘装置の浮き上がりを阻止し、耕耘幅の両端部の切断を直線的とし、チゼルの前部にコールターを取り付けて、該コールターにより、チゼル１の通過部分の土壌に切れ目を入れて土塊抵抗を小さくし、更に藁を切断すべく構成した。
該チゼル１をサイドカバー２４の前部に設けることにより、高速耕耘時において、ロータリー耕耘装置が浮き上がることのないように構成し、また該チゼル１に沿った位置にコールター４を設けることにより、チゼル１の前部の土壌を切断し、土塊と土壌に切目を入れて、次に配置されているチゼル１の切断負荷を軽くしている。また図２に図示する如く、左右のチゼル１の間に、前部ガイド輪２を配置し、高速耕耘の際にロータリー耕耘装置が上下に振動するのを阻止すべく構成している。
【００１４】
また図２においては、コールター４を取り付ける為のコールターブラケット５が図示されている。該コールター４は常時取り付けるのではなくて、必要な場合のみに、コールターブラケット５にコールター４の支持杆４ｂ部分を挿入して固定するのである。
図７においては、図１のコールター４とチゼル１の部分の取付状態が拡大図示されている。チゼル１はブラケット１１に挿入されており、該チゼル１の上部の調節孔１ａを選択してブラケット１１に挿入することにより、チゼル１の下端の位置を調整可能としている。コールター４も支持杆４ｂの部分に調節孔４ａを具備しており、該調節孔４ａによりコールター４の下端の位置を調整可能としている。
【００１５】
図４と図５と図６においては、高速耕耘の際において、従来、リアカバーがパタパタと動いて、整地出来なかったり、オートロータリーが不安定となり、リアカバー３が上下に激しく振動して、耕深が一定しないという不具合が発生するので、該リアカバー３を高速耕耘時には回動不能に固定する為のリアカバーロック機構が、リアカバー３のリフトロッド８とリアカバーロック体９の間に構成されている。該リフトロッド８は、リアカバーロック体９の部分で、ロック可能としている。
該リアカバーロック体９は、図５と図６に示す如く、上下に回動可能であり、該リアカバーロック体９に設けた係合溝９ａに、リフトロッド８の係合溝８ａを嵌入することにより、リフトロッド８が上下に移動不可能な如く係止するのである。図４においては、リフトロッド８の係合溝８ａの代わりに、リフトロッド８に係合ピン８ｂを突設した実施例を示している。この場合にも、リアカバーロック体９を回動することにより、この係合ピン８ｂと係合するのである。
こうして、高速耕耘の際に発生するリアカバーの浮き上がりや、上下にバタバタと振動するのを回避することができて、耕耘後の土壌面の仕上げを良好にすることが出来たのである。
【００１６】
図８と図９においては、六角形に構成した耕耘爪軸１５のそれぞれの面に、爪座２０・３３を設けており、それぞれの爪座２０・３３は図９に示す如く、やや左右に偏心しており、それぞれ爪３４・３５が先端において、Ｙ字型爪を構成すべく構成している。
【００１７】
図１０・図１１・図１２においては、耕耘爪軸１５の同一円周面に、６本の爪１６が存在するように爪座３６を形成した。つまり、六角形の耕耘爪軸１５の１２０度ずつの３面に、爪座３６を設け、該爪座３６にＹ字型爪１６を植設する構成が開示されている。Ｙ字型爪１６は、２枚の爪板を溶接することにより、Ｙ字型爪１６としている。
こうして、トラクターを高速走行させて、ロータリー耕耘装置により高速耕耘する場合にも、耕耘爪による耕耘抵抗を小さくすることが出来るのである。これにより、高速耕耘が可能なロータリー耕耘装置を構成することが出来たのである。
【００１８】
【発明の効果】
本発明は以上の如く構成したので、次のような効果を奏するものである。
耕耘爪軸１５の同一円周面に複数の爪座３６を形成し、該複数の爪座３６に先端がＹ字型に開いたＹ字型爪１６を植設し、高速耕耘を可能としたトラクター装着用ロータリー耕耘装置であるので、耕耘ピッチが荒くならず、Ｙ字型爪を採用することにより、トロコイド曲線が立たないようにすることが出来たものである。また、ロータリー耕耘装置により高速耕耘する場合にも、耕耘爪による耕耘抵抗を小さくすることが出来るのである。
また、耕耘幅の最外側の、境界線上に左右１本ずつのチゼルを配置し、高速耕耘時におけるロータリー耕耘装置の浮き上がりを阻止し、耕耘幅の両端部の切断を直線的としたので、高速耕耘時に発生するロータリー耕耘装置の浮き上がりを阻止することができ、更に耕耘後の境界部分の両端を真直ぐに切断することが出来るのである。
【００１９】
また、チゼルの前部にコールターを取り付けて、該コールターにより、チゼル１の通過部分の土壌に切れ目を入れて土塊抵抗を小さくし、更に藁を切断すべく構成したので、チゼルの前の部分の土壌に切り込みを入れて、チゼルの切断抵抗を小さくし、該部分に存在する藁等を切断することにより、チゼルに藁が引っ掛かるのを阻止することが出来るのである。
また、左右のチゼル１の間に、前部ガイド輪２を配置したので、高速耕耘の際にロータリー耕耘装置が上下に振動するのを阻止できる。
【図面の簡単な説明】
【図１】チゼルとコールターを取り付けた本発明のロータリー耕耘装置の全体側面図。
【図２】同じく本発明のロータリー耕耘装置の全体平面図。
【図３】リアカバーを高速耕耘時に回動不可能にロックする機構を設けたロータリー耕耘装置の側面図。
【図４】リアカバーのロック機構の斜視図。
【図５】リアカバーロック機構の要部を示す後面図。
【図６】同じくリアカバーロック機構の要部の側面図。
【図７】チゼルとコールターの部分の拡大側面図。
【図８】２本の爪によりＹ字型を構成した場合の耕耘爪軸１５の側面図。
【図９】同じく図８の構成の爪を後面から見た図面。
【図１０】１本のＹ字型爪１６を配置した耕耘爪軸１５の側面図。
【図１１】Ｙ字型爪の斜視図。
【図１２】Ｙ字型爪の後面図。
【符号の説明】
１  チゼル
２  前部ガイド輪
３  リアカバー
４  コールター
【図１】
0003540013.tif 000002
【図２】
0003540013.tif 000003
【図３】
0003540013.tif 000004
【図４】
0003540013.tif 000005
【図５】
0003540013.tif 000006
【図６】
0003540013.tif 000007
【図７】
0003540013.tif 000008
【図８】
0003540013.tif 000009
【図９】
0003540013.tif 000010
【図１０】
0003540013.tif 000011
【図１１】
0003540013.tif 000012
【図１２】
0003540013.tif 000013